(57)【特許請求の範囲】
【請求項１】
回転ベースの外周に斜め上方に延びる複数の除草杆と下方に延びる複数の回転駆動脚を各々放射状に固設した回転除草輪を、支持部材の縦フレーム下端に傾斜させて取り付けてなる除草装置において、前記回転ベースと除草杆群の間の空所に介在して異物の抱込みを抑制する邪魔部材を設け、当該邪魔部材を、回転ベースの回転軸周りに配設された弾性材ブロックを主部材としたことを特徴とするカルチベータ等に取り付ける除草装置
【請求項２】
邪魔部材が、回転ベースの回転軸周りに配設された弾性材ブロックとこのブロックの外側に向けて放射状に延びる張出し部材であることを特徴とする請求項１記載の除草装置
【請求項３】
支持部材の前記縦フレームに、回転ベースの前記邪魔部材上方から除草杆の下向き傾斜端側に下降して延在する排除バーを設けたことをさらに特徴とする請求項１又は２記載の除草装置
【請求項４】
排除バーを回転除草輪の回転方向へ湾曲又は屈曲させたことを特徴とする請求項３記載の除草装置
【発明の詳細な説明】
【００１】
【発明の属する技術分野】
本発明はカルチベータなどの作業車に取付けて使用する除草装置の改良に関する。
【００２】
【発明の技術的背景】
広い圃場の除草作業は一般にトラクタなどの牽引車に連結したカルチベータなどの作業車に除草装置を取付け、左右一対の除草装置を一組として作物の畝の両側の除草を行っている。
ところで、圃場の雑草は、地表から１〜３ｃｍ程度に発芽した時点では地中根がまだ一本の直根でヒゲ根が出るか出ないかの状態にあり、この時期に雑草を地表から１〜３ｃｍの深さのところで撹拌して地中根からまわりの土を分離し、活根作用を断つのが除草作業として最も効率がよい。
【００３】
このような除草作業を行うために、図９に示すように、カルチベータ等に結合される支持部材の縦フレーム１の下端に回転除草輪２を傾斜させて回転自在に取付けた除草装置３が使用されている。
除草装置３の回転除草輪２は、回転ベース４の外周に斜め上方に延びる複数の除草杆５と下方に延びる複数の回転駆動脚６を放射状に取付けた構成になり、畝の作物７を中心にして配設された左右一対の除草装置３、３を進行方向に牽引することにより、地面にくい込んだ回転駆動脚６の接地抵抗で回転ベース４を回転させ、回転ベース４と一体に回動する除草杆５で作物７の両側の土を薄くはぎ取り、雑草の根から土を振り落して除草を行うようになっている。
【００４】
この種の従来の除草装置は、図１０に示すように、回転除草輪２の回転ベース４とその周りの除草杆５群の間に空間が生ずるため、この空間に石れきなどの異物８が載り易く、このために、回転除草輪２の円滑な回転や除草深さの調整が妨げられる。
【００５】
また、図９、１０に示すように、回転除草輪２は支持部材の縦フレーム１の下端に傾斜させて回転自在に取付けられているので、除草杆５と縦フレーム１間のスペースは、回転除草輪２の下向き位置では広く、上向き位置では狭くなる。このため、回転除草輪２に載った異物８が上向き位置に回動すると除草杆５と縦フレーム１の間にはさまり、回転除草輪２を回転不能にするだけでなく、はさまれた異物の除去も容易ではない。
【００６】
従って、本発明の第１の目的は、回転除草輪に異物が載りにくい構造の除草装置を提供することにある。
【００７】
本発明の第２の目的は、回転除草輪に異物が載りにくくするとともに、異物が除草輪に載っても回転の過程で確実に払い落とされる構造の除草装置を提供することにある。
【００８】
【課題を解説するための手段】
上記第１の目的を達成するために、本発明は、回転ベースの外周に斜め上方に延びる複数の除草杆と下方に延びる複数の回転駆動脚を各々放射状に固設した回転除草輪を、支持部材の縦フレーム下端に傾斜させて取り付けてなる除草装置において、前記該回転ベースと除草杆群の間の空所に介在して異物の抱込みを抑制する邪魔部材を設けたことを特徴とする。
【００９】
上記邪魔部材は、好ましくは、回転ベースの回転軸周りに配置した弾性材ブロックで構成する。
【０１０】
さらに好ましくは、上記邪魔部材は、回転ベースの回転軸周りに配置した弾性材ブロックとこのブロックの外側に向けて放射状に延びる張出し部材で構成してもよい。
【０１１】
さらに、上記邪魔部材は、該回転ベースと前記除草杆群の間の空所に介在して異物の抱込みを抑制するために設けた独立の固定排除バーであってもよい。
【０１２】
上記第２の目的を達成するために、本発明は、回転ベースの外周に斜め上方に延びる複数の除草杆と下方に延びる複数の回転駆動脚を各々放射状に固設した回転除草輪を、支持部材の縦フレーム下端に傾斜させて取り付けてなる除草装置において、前記回転ベースに、該回転ベースと前記除草杆群の間の空所に介在して異物の抱込みを抑制する邪魔部材を一体に設けるとともに、支持部材の前記縦フレームに、回転ベースの前記邪魔部材上方から除草杆の下向き傾斜端側に下降して延在する排除バーを設けたことを特徴とする。
【０１３】
異物との接地抵抗を緩和するために、上記排除バーは、好ましくは、回転除草輪の回転方向へ湾曲又は屈曲させる。
【０１４】
【発明の実施の形態】
以下、本発明の実施例を添付の図面に基づいて説明する。
図１に示すように、本発明の除草装置３は、カルチベータなどの作業車に連結される支持部材９の縦フレーム１下端に、回転除草輪２を取付けた構成になっている。
回転除草輪２は前述のように、基盤１０に傾斜状に且つ回転自在に取り付けた回転ベース４の外周に、斜め上方に向けて延びる複数の除草杆５と下方に延びる複数の回転駆動脚６を各々放射状に固設してなり、基盤１０を支持部材９の縦フレーム１に結合して取付けられている。
尚、図の実施例では連結部材１０に回転除草輪２の後方に延びて弾発的に接地する除草タイン１１が併用されている。
【０１５】
図の実施例の支持部材９はベースプレート１２に支点Ｐ１、Ｐ２で軸着した上下
２本の横リンク１３、１４に縦フレーム１の上下２支点Ｐ３、Ｐ４で軸支した平行
リンクを有し、カウンタウエイト１５とその反対側のロッド１６に着脱される錘１７のバランスで回転除草輪２が地面に沿って上下移動するようになっている。
以上の構成は従来の除草装置と同様である。
【０１６】
このような構成の除草装置において、本発明は回転除草輪２の上に邪魔部材を設置して回転除草輪２の上に岩石などの異物が滞留しないようにしてある。
図１及び図２の実施例は上記邪魔部材としてゴムなどの弾性材からなるブロック１８を使用し、この弾性材ブロック１８を回転除草輪２の回転ベース４上の軸周りに一体固定し、弾性材ブロック１８の体積で回転ベース４と除草杆５の間の空間を埋めるようにしてある。
【０１７】
この構成では、回転ベース４と除草杆５の間に弾性材ブロック１８が介在することにより、異物が入り込む空間が制限されているとともに、弾性材ブロック１８の弾発力により異物がはじき返され、これにより、異物の滞留が抑制される。
【０１８】
図２乃至図６の実施例は、前記弾性材ブロック１８の周囲に外側に延びる多数の張り出し部材１９を放射状に一体固設した邪魔部材を回転ベース４の軸周りに設置したもので、好ましくは、これら張り出し部材１９もブロック１８と同様のゴムなどの弾性材で形成する。
図３及び図４実施例は弾性材ブロック１８の上部外周から除草杆５に向けてロッドアーム状の張り出し部材１９を下方に傾斜させて取付けた構成になり、また、図５及び図６の実施例は、弾性材ブロック１８の外周面に斜め上方に延びるテーパー状のプレートからなる張り出し部材１９を取付けた構成になっている。
【０１９】
尚、図の実施例の弾性材ブロック１８は、図１に示すように、軸方向に切れ目２１を入れたゴム製の円柱体からなり、切れ目２１を開いて回転ベースの回転軸周りに嵌め、回転ベース４の回転盤にボルト２２で固定してある。
【０２０】
図３乃至図６の実施例の除草装置は、図１実施例と同様に弾性材ブロック１０により異物の抱き込みが抑制されるとともに、張り出し部材１９によりブロック１８と除草杆５の間に異物が入り込む余地をなくして回転除草輪２の外側に導き出す。
【０２１】
図１乃至図６の実施例の除草装置３は回転除草輪２の回転ベース４と除草杆５の間に介在させた邪魔部材によって回転除草輪２上の異物の滞留が飛躍的に防止されるものであるが、異物の形状や混入のタイミングによっては回転除草輪２に載った異物がそのまま上方に運ばれてしまうおそれが考えられる。
この問題を解決するために、図７及び図８の実施例は回転除草輪２の回転ベース４と除草杆５の間の空所を前記邪魔部材で埋めるとともに、支持部材９の前記縦リンク１に結合される基盤１０に回転ベース４の前記邪魔部材の上方から除草杆５の下向き傾斜端側に向けて下降して延びる排除バー２０を固定してある。
【０２２】
この実施例の構造では固定した排除バー２０が回転除草輪２の上方に横たわって延在しているので、回転除草輪２の上に載った異物は回転除草輪２の矢印方向の回転に伴って運ばれる過程で排除バー２０に邪魔されて外側に払い落とされる。
【０２３】
排除バー２０は好ましくは、回転除草輪２の回転方向へ向けて湾曲又は屈曲させ、異物との接触抵抗を和らげ、外側に円滑に払い出されるようにする。
【０２４】
図７、図８は、図１、図２実施例の邪魔部材（弾性材ブロック１８）に、前記排除バー２０を併用した場合の実施例を示しているが、本発明は、図４乃至図６の実施例の除草装置３に前記排除バー２０を併用することも当然含むものである。
【０２５】
【効果】
本発明の除草装置は、回転除草輪の回転ベースと除草杆の間に邪魔部材を介在させたことにより、異物の抱き込みや滞留が減少し、回転除草輪のトラブルが著しく改善される。
【０２６】
弾性材ブロックの外周に張り出し部材を設けた邪魔部材を用いることにより、異物の抱き込み防止がより効果的に解消される。
【０２７】
回転除草輪に邪魔部材を介在させるとともに回転除草輪の下向き回転軌道方向に固定排除バーを設けることにより、異物は上方へ回動する前に払い落とされ、除草装置にはさまれるおそれはなくなる。
【図面の簡単な説明】
【図１】本発明の第１実施例による除草装置の側面図
【図２】図１の実施例による除草装置の要部拡大図
【図３】本発明の第２実施例による除草装置の除草輪斜視図
【図４】図３の除草輪を取付けた除草装置の構成図
【図５】本発明の第３実施例による除草装置の斜視図
【図６】図５の実施例による除草装置の背面図
【図７】本発明の第４実施例による除草装置の斜視図
【図８】図７の実施例による除草装置の背面図
【図９】除草装置による除草作業説明図
【図１０】従来の除草装置の構成図
【符号の説明】
１…縦フレーム
２…回転除草輪
３…除草装置
４…回転ベース
５…除草杆
６…回転駆動脚
７…作物
８…異物
９…支持部材
１０…基盤
１１…除草タイン
１２…ベースプレート
１３、１４…横リンク
１５…カウンタウエイト
１６…ロッド
１７…錘
１８…ブロック
１９…張り出し部材
２０…排除バー
２１…切れ目
２２…ボルト
【整理番号】ＰＡＳ００１―０１４
【図１】
0003539936.tif 000002
【図２】
0003539936.tif 000003
【図３】
0003539936.tif 000004
【図４】
0003539936.tif 000005
【図５】
0003539936.tif 000006
【図６】
0003539936.tif 000007
【図７】
0003539936.tif 000008
【図８】
0003539936.tif 000009
【図９】
0003539936.tif 000010
【図１０】
0003539936.tif 000011